(57)【要約】【課題】歯ブラシを支える位置が柄本体部の内の後方側に位置し易く、しかも使用中に疲れ難く、過剰なブラッシング圧を無意識のうちに低減できる歯ブラシに関する。【解決手段】本発明の歯ブラシ１は、全重量が５ｇ以上３０ｇ以下で、全長（Ｌ１）が１６０ｍｍよりも大きく２００ｍｍ以下である。歯ブラシ１は、ｉ）全長（Ｌ１）に対する柄本体部３の後端部３ｅから歯ブラシの重心Ｇまでの直線距離（Ｌ２）の割合（（Ｌ２×１００）／Ｌ１）を説明変数Ｃ、ｉｉ）後端部３ｅから前方に９０ｍｍ離れた位置Ｐ１での外周長さ（Ｓ１）を説明変数Ｔ、ｉｉｉ）後端部３ｅから前方に２０ｍｍ離れた位置Ｐ２での外周長さ（Ｓ２）に対する前記位置Ｐ１での外周長さ（Ｓ１）の比（Ｓ１／Ｓ２）を説明変数Ｒとした、下記式（１）のハンドル形状変数Ｐが１５０以上３５０以下である歯ブラシ。    Ｐ＝４．５７+５．９１Ｃ＋０．５１５Ｔ+１５４Ｒ・・・（１）【選択図】図１
2015231500.tif 000002
【特許請求の範囲】
【請求項１】
毛束が植毛されたブラシ部と該ブラシ部に連続する柄本体部とを備える歯ブラシであって、
前記歯ブラシの全重量が、５ｇ以上３０ｇ以下であり、
前記歯ブラシの全長（Ｌ１）が、直線距離で、１６０ｍｍよりも大きく２００ｍｍ以下であり、更に、
ｉ）前記全長（Ｌ１）に対する前記柄本体部における前記ブラシ部とは反対側に位置する後端部から前記歯ブラシの重心までの直線距離（Ｌ２）の割合（（Ｌ２×１００）／Ｌ１）を説明変数Ｃ、
ｉｉ）前記柄本体部における前記後端部から前記ブラシ部側に９０ｍｍ離れた位置での外周長さ（Ｓ１）を説明変数Ｔ、
ｉｉｉ）前記柄本体部における前記後端部から前記ブラシ部側に２０ｍｍ離れた位置での外周長さ（Ｓ２）に対する前記９０ｍｍ離れた位置での外周長さ（Ｓ１）の比（Ｓ１／Ｓ２）を説明変数Ｒとして、
下記式（１）のハンドル形状変数（目的変数Ｐ）が、１５０以上３５０以下である歯ブラシ。
Ｐ＝４．５７+５．９１Ｃ＋０．５１５Ｔ+１５４Ｒ・・・（１）
【請求項２】
前記説明変数Ｒは、０．３以上０．８５以下である請求項１に記載の歯ブラシ。
【請求項３】
前記説明変数Ｃは、１５％以上４５％以下である請求項１又は２に記載の歯ブラシ。
【請求項４】
前記説明変数Ｔは、１２ｍｍ以上３５ｍｍ以下である請求項１〜３の何れか１項に記載の歯ブラシ。
【請求項５】
前記柄本体部における前記後端部から前記ブラシ部側に９０ｍｍ離れた位置から、該後端部に向かって、漸次断面積が大きくなる領域を有している請求項１〜４の何れか１項に記載の歯ブラシ。
【請求項６】
前記９０ｍｍ離れた位置から前記ブラシ部に至るまでの前記柄本体部における領域内においては、前記９０ｍｍ離れた位置での外周長さ（Ｓ１）に対する、該領域内の位置での外周長さ（Ｓ３）の割合（（Ｓ３×１００）／Ｓ１）が、５０％以上１００％以下である請求項１〜５の何れか１項に記載の歯ブラシ。
【発明の詳細な説明】
【技術分野】
【０００１】
本発明は、毛束が植毛されたブラシ部と該ブラシ部に連続する柄本体部とを備える歯ブラシに関する。
【背景技術】
【０００２】
歯ブラシを用いてブラッシングする際に、ブラッシング圧が高すぎると、歯面を削ったり、歯肉を傷つけたりしてしまうことがある。歯面が削られると、虫歯になる可能性が高くなってしまう。また、歯肉が傷つけられて歯肉が下がり歯の歯根が露出すると、例えば、冷たいものがしみる「知覚過敏」の症状が現れることがある。
【０００３】
例えば、特許文献１には、ブラッシングの際、歯肉への感触をソフトにする技術として、親指及び人差し指で把持する部分と小指及び小指側の掌で把持する部分との２箇所を扁平な形状に改良した歯ブラシが記載されている。
【０００４】
特許文献２には、ブラッシング時に持ち易く、疲れ難く、歯垢を効果的に除去する技術として、把持部上部、把持部下部の各寸法を所定の範囲に改良した歯ブラシが記載されている。また、特許文献３には、持ちやすく、操作性に優れ、歯垢を効果的に除去する技術として、把持部の後端側の弾性率が先端側の弾性率以上である歯ブラシが記載されている。
【先行技術文献】
【特許文献】
【０００５】
【特許文献１】特開２００８−５９６７号公報
【特許文献２】特開２００２−８５１５７号公報
【特許文献３】特開２００３−１３５１４８号公報
【発明の概要】
【発明が解決しようとする課題】
【０００６】
しかし、特許文献１に記載の歯ブラシは、図８の使用例にも示されるように、歯ブラシの中央部分において歯ブラシを支持することを誘導する形態であるため、ブラッシング圧の高い使用者に対するブラッシング圧の低減には課題がある。
【０００７】
特許文献２に記載の歯ブラシについても、歯ブラシの柄のヘッド部近傍である把持部上部を把持させることを意図しており、歯ブラシを支持する位置を柄本体部の後方側に移動させる形態ではない。従って、ブラッシング圧の高い使用者に対するブラッシング圧の低減には課題がある。
【０００８】
また、特許文献３に記載の歯ブラシは、柄の中央部を境に先端側と後端側の弾性率を特定しているため、歯ブラシを支持する位置は、柄の中央側を意図しており、歯ブラシを支持する位置を柄本体部の後端側に移動させることは期待していない。そのため、特許文献３に開示されている歯ブラシでは、ブラッシング圧の高い使用者に対するブラッシング圧の低減には依然として課題がある。
【０００９】
したがって本発明は、前述した従来技術が有する欠点を解消し得る歯ブラシに関する。
【課題を解決するための手段】
【００１０】
本発明は、毛束が植毛されたブラシ部と該ブラシ部に連続する柄本体部とを備える歯ブラシであって、前記歯ブラシの全重量が、５ｇ以上３０ｇ以下であり、前記歯ブラシの全長（Ｌ１）が、直線距離で、１６０ｍｍよりも大きく２００ｍｍ以下であり、更に、ｉ）前記全長（Ｌ１）に対する前記柄本体部における前記ブラシ部とは反対側に位置する後端部から前記歯ブラシの重心までの直線距離（Ｌ２）の割合（（Ｌ２×１００）／Ｌ１）を説明変数Ｃ、ｉｉ）前記柄本体部における前記後端部から前記ブラシ部側に９０ｍｍ離れた位置での外周長さ（Ｓ１）を説明変数Ｔ、及び、ｉｉｉ）前記柄本体部における前記後端部から前記ブラシ部側に２０ｍｍ離れた位置での外周長さ（Ｓ２）に対する前記９０ｍｍ離れた位置での外周長さ（Ｓ１）の比（Ｓ１／Ｓ２）を説明変数Ｒとして重回帰分析を行い、導き出された下記式（１）のハンドル形状変数（目的変数Ｐ）が、１５０以上３５０以下である歯ブラシに関する。
Ｐ＝４．５７+５．９１Ｃ＋０．５１５Ｔ+１５４Ｒ・・・（１）
【発明の効果】
【００１１】
本発明によれば、歯ブラシを支える位置が柄本体部における後方側に移動し易いため、過剰なブラッシング圧を無意識のうちに低減することができる。
【図面の簡単な説明】
【００１２】
【図１】図１は、本発明の一実施形態である歯ブラシを示す斜視図である。
【図２】図２は、図１に示す歯ブラシの正面側から視た平面図である。
【図３】図３は、図１に示す歯ブラシを側面から視た側面図である。
【図４】図４は、図１に示すＩＶ−ＩＶ線断面図である。
【図５】図５は、図１に示すＶ−Ｖ線断面図である。
【図６】図６は、被験者の選出に用いる歯ブラシを説明する図である。
【図７】図７は、比較例５の歯ブラシを説明する図である。
【図８】図８は、比較例６の歯ブラシを説明する図である。
【図９】図９は、実施例１〜３、比較例１〜７の歯ブラシに関し、全重量を縦軸にハンドル形状変数を横軸にプロットしたグラフである。
【発明を実施するための形態】
【００１３】
以下本発明を、その好ましい実施形態に基づき図１〜図５を参照しながら説明する。
図１は、本発明の一実施形態である歯ブラシ１（以下、単に「歯ブラシ１」とも言う。）を示す図である。
歯ブラシ１は、毛束２１が植毛されたブラシ部２と、該ブラシ部２に連続する柄本体部３とを備えている。歯ブラシ１は、軸方向（Ｙ方向）に長く形成されている。ここで、軸方向（Ｙ方向）に垂直な方向である幅方向をＸ方向として説明する。また、本明細書においては、歯ブラシ１の軸方向（Ｙ方向）においてブラシ部２側を前方側、ブラシ部２とは反対側である柄の端側を後方側として説明する。また、歯ブラシ１のブラシ部２における毛束２２を有する面側を正面側、その反対側を背面側として説明する。
【００１４】
ブラシ部２は、植毛台２２の正面側に毛束２１が植毛されて形成されている。具体的には、ブラシ部２は、図１〜図３に示すように、植毛台２２の正面側の片面に、複数のタフト穴（図示せず）が設けられており、各タフト穴に、ポリエチレン、ナイロン等の合成樹脂からなるブリッスルの束であるタフト（毛束２１）が、例えば平線を打ち込む方法によって植毛され固定されて形成されている。
【００１５】
柄本体部３は、図１〜図３に示すように、ブラシ部２に連続しており、ブラシ部２から軸方向（Ｙ方向）後方側に向かって長く形成されている。ここで、「柄本体部３」とは、主に、歯ブラシ１の使用時に、使用者が持つ部分及び使用者が把持する範囲の部分である。好ましくは「柄本体部３」には、後端部３ｅに、把持の目的以外の装飾の目的等の為に設けられるキャラクター人形、或いは鈴等の装飾物は入らない。ここで、上記の装飾物とは、後端部３ｅの近傍において、ブラシ部２の側から後端側に段差をもって外周長さが１０％以上大きく周方向に突出する領域を有するもの、或いは、外周長さが１０％以上大きく周方向に突出し、かつ、外周面に不規則な凹凸が形成されているものをいう。かかる装飾物は、把持しにくく、歯ブラシを支える位置を柄本体部３における後方側に移動させる際に邪魔になり易いため、本発明の歯ブラシには設けていないことが好ましい。従って、後述する、重心位置の調整のために、柄本体部３の外周長さより短い外周長さであって、柄本体部３の後端側に突出している領域を有するもの、好ましくは該後端側に８ｍｍ以内の長さで突出している領域を有するものは、柄本体部３の一部として考える。
【００１６】
ブラシ部２の植毛台２２及び柄本体部３の材料としては、ポリアセタール樹脂（ＰＯＭ）、ポリプロピレン樹脂（ＰＰ）、ポリスチレン樹脂（ＰＳ）、ポリエチレンテレフタレート樹脂（ＰＥＴ）、アクリロニトリルブタジェンスチレン樹脂（ＡＢＳ）、セルロースプロピオネート樹脂（ＣＰ）、ポリアリレート樹脂、ポリカーボネート樹脂、アクリロニトリルスチレン樹脂（ＡＳ）、ポリエステル（ＰＥ）、ポリトリメチレンテレフタレート（ＰＴＴ）、ポリシクロヘキサンジメチレンテレフタレート（ＰＣＴＡ）等の素材を、単独で又は２種以上を混合して用いることができる。
【００１７】
歯ブラシ１は、使用中の疲れやすさを防止する観点、強度の観点から、その全重量は５ｇ以上３０ｇ以下であり、さらに疲れにくくする観点から、好ましくは５ｇ以上２０ｇ以下である。前記歯ブラシ１の全重量とは、歯ブラシ１の柄本体部３のみならず、重量調整の玉３１、装飾がある場合の装飾部、植毛されたタフトのすべてを含む重量である。
【００１８】
また、歯ブラシ１は、ブラッシング圧のコントロールの観点、狙った歯のブラシ部を当てやすくする等の使用性の観点から、その全長（Ｌ１）（図２参照）は、直線距離で１６０ｍｍよりも大きく２００ｍｍ以下であり、好ましくは１７０ｍｍ以上１９０ｍｍ以下である。
【００１９】
本発明者らは、鋭意検討を行った結果、以下に示すｉ）説明変数Ｃ、ｉｉ）説明変数Ｔ、及びｉｉｉ）説明変数Ｒそれぞれの特徴値により、重回帰分析を行い、それぞれの回帰係数を求めて特定された重回帰式（下記式（１））のハンドル形状変数（目的変数Ｐ）の値が、１５０以上３５０以下の範囲内にある歯ブラシであれば、歯ブラシを支える位置が柄本体部の内の後方側に移動し易く、過剰なブラッシング圧を無意識のうちに低減できる歯ブラシとなることを見出した。
Ｐ＝４．５７+５．９１Ｃ＋０．５１５Ｔ+１５４Ｒ・・・（１）
尚、歯ブラシを支える位置を後方側に移動させ易い観点から、ハンドル形状変数（目的変数Ｐ）の値は、１５０以上であり、好ましくは１８０以上であり、より好ましくは２２０以上であり、３５０以下であり、好ましくは３３０以下である。また、ハブラシ形状変数（目的変数Ｐ）の値は、１５０以上３５０以下であり、好ましくは１８０以上３５０以下であり、より好ましくは２２０以上３３０以下である。
【００２０】
重回帰分析は、各種情報処理を行うパーソナルコンピュータのソフトウェアにより実行される。このようなソフトウェアとしては、例えば、表計算ソフト（マイクロソフト社製マイクロソフトエクセル、ＳＰＳＳ社製のＳＰＳＳ等）を用いることができる。
【００２１】
ｉ）説明変数Ｃに関し、歯ブラシ１を例に挙げ説明すると、説明変数Ｃとは、図２に示すように、歯ブラシ１の全長（Ｌ１）に対する柄本体部３における後端部３ｅから歯ブラシ１の重心Ｇまでの直線距離（Ｌ２）の割合（（Ｌ２×１００）／Ｌ１）を意味する。歯ブラシ１においては、後述するように、後端部３ｅに金属製の玉３１が設けられているが、玉３１は、柄本体部３の周長（外周長さ）より短い周長であり、柄本体部３の後端側に突出している領域を有するものであるため、柄本体部３の一部として考えられ、直線距離（Ｌ２）を測定する際の後端部３ｅには玉３１の部分は含まれる。
【００２２】
説明変数Ｃは、歯ブラシを支える位置を後方側に移動させる観点、支える位置が後方側に移動した際の操作性の安定化の観点から、好ましくは１５％以上であり、より好ましくは１８％以上であり、さらに好ましくは２５％以上であり、好ましくは４５％以下であり、より好ましくは４２％以下であり、さらに好ましくは４０％以下である。また、説明変数Ｃは、好ましくは１５％以上４５％以下であり、より好ましくは１８％以上４２％以下であり、さらに好ましくは２５％以上４０％以下である。
【００２３】
ｉｉ）説明変数Ｔに関し、歯ブラシ１を例に挙げ説明すると、説明変数Ｔとは、図２に示すように、柄本体部３における後端部３ｅからブラシ部２側（前方側）に９０ｍｍ離れた位置Ｐ１での外周長さ（Ｓ１）を意味する。上述したように、歯ブラシ１においては、後端部３ｅに金属製の玉３１が設けられているが、玉３１は、柄本体部３の外周長さより短い外周長さであり、柄本体部３の後端側に突出している領域を有するものであるため、柄本体部３の一部として考えられ、後端部３ｅから前方側に９０ｍｍ離れた位置Ｐ１を特定する際の後端部３ｅには玉３１の部分は含まれる。尚、９０ｍｍの位置Ｐ１とは、歯ブラシ１を所謂パームグリップで握った際に、親指と人差し指で把持する際に親指を配置させることを誘導する位置を意味する。ここで、外周長さ（Ｓ１）は、前述のように親指を配置させる観点から、位置Ｐ１での柄本体部３の外周面に凹凸がある場合には、凸部の頂部を結んだ仮想線（最外周）の長さを外周長さ（Ｓ１）とする。
【００２４】
説明変数Ｔは、柄本体部３の強度の観点から、好ましくは１２ｍｍ以上であり、より好ましくは１５ｍｍ以上であり、さらに好ましくは１７ｍｍ以上であり、歯ブラシを支える位置を後方側に移動させる観点から、好ましくは３５ｍｍ以下であり、より好ましくは３０ｍｍ以下である。また、説明変数Ｔは、柄本体部３の強度とブラッシング圧の軽減化のバランスの観点から、好ましくは１２ｍｍ以上３５ｍｍ以下であり、より好ましくは１５ｍｍ以上３０ｍｍ以下であり、さらに好ましくは１７ｍｍ以上３０ｍｍ以下である。
【００２５】
ｉｉｉ）説明変数Ｒに関し、歯ブラシ１を例に挙げ説明すると、説明変数Ｒとは、図２に示すように、柄本体部３における後端部３ｅからブラシ部２側（前方側）に２０ｍｍ離れた位置Ｐ２での外周長さ（Ｓ２）に対する前記９０ｍｍ離れた位置Ｐ１での外周長さ（Ｓ１）の比（Ｓ１／Ｓ２）を意味する。上述したように、歯ブラシ１においては、後端部３ｅに金属製の玉３１が設けられているが、玉３１は、柄本体部３の外周長さより短い外周長さであり、柄本体部３の後端側に突出している領域を有するものであるため、柄本体部３の一部として考えられ、後端部３ｅから前方側に２０ｍｍ離れた位置Ｐ２を特定する際の後端部３ｅには玉３１の部分は含まれる。２０ｍｍの位置Ｐ２とは、歯ブラシ１を所謂パームグリップで握った際に、中指、薬指、小指及び掌で把持する部分の小指の位置を意味する。外周長さ（Ｓ２）は、２０ｍｍの位置Ｐ２における柄本体部３の外周面に凹凸がある場合には、凸部の頂部を結んだ仮想の外周面における長さ（最外周の長さ）を意味する。
【００２６】
説明変数Ｒは、ブラッシング圧の軽減と歯ブラシの強度のバランスの観点、歯ブラシの使いやすさの観点から、好ましくは０．３以上であり、より好ましくは０．３５以上であり、さらに好ましくは０．４以上であり、歯ブラシを支持する位置を後方側に移動させる観点から、好ましくは０．８５以下であり、より好ましくは０．８以下であり、さらに好ましくは０．７５以下である。また、ブラッシング圧の軽減と歯ブラシの強度のバランスの観点、歯ブラシの使いやすさの観点から、好ましくは０．３以上０．８５以下であり、より好ましくは０．３５以上０．８以下であり、さらに好ましくは０．４以上０．７５以下である。
【００２７】
また、歯ブラシ１は、歯ブラシの重量を軽量にしながら、ブラッシング圧を効果的に軽減させる観点から、柄本体部３に中空または空洞を設けることが好ましく、柄本体部３の後端部３の近傍、好ましくは後端部３から２５ｍｍ以内の位置の柄本体部３の内部又は一部として、柄本体部３よりも比重の大きい部材、好ましくは、金属の部材、金属と樹脂からなる部材、ガラスと樹脂からなる部材、及びガラスの部材から選ばれる部材を設けることが好ましい。金属と樹脂からなる部材とは、金属と樹脂の混合成形品、金属を樹脂で被覆した部材、樹脂を金属で被覆した部材が挙げられる。ガラスと樹脂からなる部材は、ガラス粒子を樹脂と混合して成形した部材が挙げられる。なお、これらの柄本体部３よりも比重の大きい部材を柄本体部３の内部又は一部として設けるとは、前記比重の大きな部材が、例えば二色成形等により一体成形で設けてもよいし、別の部材を嵌合又は遊嵌して設けてもよい。
【００２８】
具体的に、例えば、図１に示すように、柄本体部３の後端部３ｅに、例えばステンレス等の金属製の玉３１が遊嵌することが好ましい。さらに、図４に示すように、歯ブラシ１の柄本体部３は、後端部３から歯ブラシ１の重心Ｇを軸方向（Ｙ方向）前方に越えた位置まで内部を空洞が形成されていることが好ましい。この場合のさらに好ましい形態について説明する。柄本体部３の後端部３ｅには、玉３１用の凹陥部３２が形成されている。凹陥部３２は、玉３１の重心の位置よりも軸方向（Ｙ方向）後方まで延びて玉３１の大部分を覆っている。玉３１は、柄本体部３の後端部３ｅにおける凹陥部３２の内部で固定されておらず、回転可能に遊嵌されている。このように歯ブラシ１には柄本体部３の後端部３ｅに玉３１が遊嵌されているので、歯ブラシの重心を後方側に大きく位置させる効果を奏する。尚、玉３１の球径は、好ましくは５ｍｍ以上２０ｍｍ以下であり、より好ましくは６ｍｍ以上１０ｍｍ以下である。
【００２９】
また、歯ブラシ１は、柄本体部３における後端部３ｅからブラシ部２側（前方側）に９０ｍｍ離れた位置Ｐ１から、後端部３ｅに向かって、漸次断面積が大きくなる領域Ｔ１を有していることが、歯ブラシを支持する位置を後方側に移動させ、ブラッシング圧を軽減させる観点から好ましい。例えば、図２，図３に示すように、歯ブラシ１において、柄本体部３における後端部３ｅから前方側に９０ｍｍ離れた位置Ｐ１よりも軸方向（Ｙ方向）前方側の位置から、軸方向（Ｙ方向）後方側に歯ブラシ１の重心Ｇを越えた位置に亘る領域Ｔ１において、幅方向（Ｘ方向）の断面積が（軸方向に直交する断面積が）、軸方向（Ｙ方向）前方側から後方側に向かって、漸次大きくなっている。尚、上述したように、歯ブラシ１の柄本体部３内部に空洞を有しているが、断面積には空洞部分を排除せず、幅方向（Ｘ方向）に断面視した際の柄本体部３の輪郭で囲まれた面積を断面積とする。
【００３０】
また、歯ブラシ１は、図２，図３に示すように、ブラッシング圧の高い使用者のブラッシング圧を軽減させる観点から、柄本体部３における後端部３ｅからブラシ部２側（前方側）に９０ｍｍ離れた位置Ｐ１からブラシ部２に至るまでの柄本体部３における領域Ｔ２内においては、９０ｍｍ離れた位置Ｐ１での外周長さ（Ｓ１）に対する、領域Ｔ２内における最小の外周長さ（Ｓ３）の割合（（Ｓ３×１００）／Ｓ１）は、適度な剛性を保ちながら樹脂量を削減し、歯ブラシの重心を後方側に移動させるという観点から、好ましくは５０％以上であり、より好ましくは６０％以上であり、好ましくは１００％以下であり、より好ましくは９０％以下であり、さらに好ましくは８０％以下である。また、前記（（Ｓ３×１００）／Ｓ１）は、好ましくは５０％以上１００％以下であり、より好ましくは６０％以上９０％以下であり、さらに好ましくは６０％以上８０％以下である。
【００３１】
歯ブラシ１の柄本体部３の形状に関し、さらに好ましい形態について詳述すると、柄本体部３における後端部３ｅからブラシ部２側（前方側）に９０ｍｍ離れた位置Ｐ１近傍に亘る領域内では、幅方向（Ｘ方向）に断面視した際の柄本体部３の輪郭が、幅方向（Ｘ方向）に長い扁平な円形状、好ましくは楕円、あるいはカプセル形状に形成されている。このように形成されているので、歯ブラシ１を所謂パームグリップで握った際に、親指と人差し指で把持し易くなっている。なお、柄本体部３の断面形状は、多角形であってもよく、表面に凹凸が形成されていても、一部がエラストマーで形成されていてもよく、幅方向を長軸とする偏平な形状であることが好ましい。
【００３２】
尚、本発明は上記実施形態に限定されることなく種々の変更が可能である。
例えば、ブラシ１は、柄本体部３の後端部３ｅに金属製の玉３１が遊嵌されているが、玉３１が固定されていてもよく、球形状以外の形状の金属製の部材が配されていてもよい。また、このような金属製の玉３１等の金属製の部材が配されていなくてもよい。また、柄本体部３の形状は、扁平な円形状等に形成されている部分を有しているが、そのような形状の部分を備えている必要は必ずしも無く、四角形或いは多角形等のその他の種々の平面形状の部分を有していてもよい。ブラシ部２の植毛台２２には、タフト（毛束２１）以外に、他の補助タフト等が植設されていてもよい。
【実施例】
【００３３】
以下、実施例及び比較例により、本発明の歯ブラシを更に詳細に説明する。しかしながら本発明の範囲はかかる実施例によって何ら制限されるものではない。
【００３４】
＜被験者の選出＞
図６に示す構成を備える歯ブラシを用い、オーバーブラッシングによる歯肉退縮が見られる被験者３名に、下記の方法によりブラッシングしてもらった。オーバーブラッシングによる歯肉退縮の特徴としては、歯肉が盛り上がった肥厚と歯面の過研磨が見られ、場合によっては楔状欠損も見られる。被験者３名の平均ブラッシング圧は、４３２ｇｆであった。また、図６に示す歯ブラシに関しては、その全重量は１２．２ｇであり、その全長（Ｌ１）は１７２．５ｍｍであった。また、全長（Ｌ１）に対する柄本体部の後端部から歯ブラシの重心Ｇまでの直線距離（Ｌ２）の割合（（Ｌ２×１００）／Ｌ１）は４６％であり、柄本体部の後端部から前方側に９０ｍｍ離れた位置Ｐ１での外周長さ（Ｓ１）は３０ｍｍであり、柄本体部の後端部から前方側に２０ｍｍ離れた位置Ｐ２での外周長さ（Ｓ２）に対する前記９０ｍｍ離れた位置Ｐ１での外周長さ（Ｓ１）の比（Ｓ１／Ｓ２）は０．８８であった。
【００３５】
＜ブラッシング圧の測定＞
先ず、歯ブラシの先端から４０〜５０ｍｍ後方の位置の柄本体部の背面に、歪みゲージ（共和電業社製の品番「KFG-1-120-C1-11L3M2R」）を貼り付けて、荷重３００ｇｆにおける校正データを作成する。次に、パネラー自身により、前記歯ブラシを用いて、前歯→右奥歯→左奥歯→前歯の順に、各１０秒以上ブラッシングしてもらう。ここで、前歯を２度ブラッシングするのは、一度目のデータを端切りするためである。そして、パーソナルコンピュータに接続された測定器（共和電業社製のブリッジユニットである品番「DBU-120A」）を用いてデータを収録する。収録されたデータは、パーソナルコンピュータに搭載されたデータ解析ソフトウェアを用いて解析処理され、平均ブラッシング圧が求められる。このデータ解析ソフトウェアは、そのプログラムを独自に作製してもよいが、共和電業社製の品番「DAS-200A」等を用いてもよい。
【００３６】
［実施例１］
上述した図１〜図５に示す歯ブラシと略同様の構成を備える歯ブラシを、実施例１の歯ブラシとした。尚、実施例１の歯ブラシは、図１〜図５に示す歯ブラシと比べて、金属製の玉を有していない構造である。実施例１の歯ブラシに関しては、その全重量は１０．９ｇであり、その全長（Ｌ１）は１８０ｍｍであった。また、全長（Ｌ１）に対する柄本体部の後端部から歯ブラシの重心Ｇまでの直線距離（Ｌ２）の割合（（Ｌ２×１００）／Ｌ１）は３９％であり、柄本体部の後端部から前方側に９０ｍｍ離れた位置Ｐ１での外周長さ（Ｓ１）は１９ｍｍであり、柄本体部の後端部から前方側に２０ｍｍ離れた位置Ｐ２での外周長さ（Ｓ２）に対する前記９０ｍｍ離れた位置Ｐ１での外周長さ（Ｓ１）の比（Ｓ１／Ｓ２）は０．５１であった。従って、上述した重回帰式（１）から求められるハンドル形状変数（目的変数Ｐ）の値は、３２４であった。
【００３７】
［実施例２］
上述した図１〜図５に示す歯ブラシと同様の構成を備える歯ブラシを、実施例２の歯ブラシとした。実施例２の歯ブラシの備える玉の球径は８ｍｍであった。実施例２の歯ブラシに関しては、その全重量は１３．０ｇであり、その全長（Ｌ１）は１８２ｍｍであった。また、全長（Ｌ１）に対する柄本体部の後端部から歯ブラシの重心Ｇまでの直線距離（Ｌ２）の割合（（Ｌ２×１００）／Ｌ１）は３３％であり、柄本体部の後端部から前方側に９０ｍｍ離れた位置Ｐ１での外周長さ（Ｓ１）は２０ｍｍであり、柄本体部の後端部から前方側に２０ｍｍ離れた位置Ｐ２での外周長さ（Ｓ２）に対する前記９０ｍｍ離れた位置Ｐ１での外周長さ（Ｓ１）の比（Ｓ１／Ｓ２）は０．５４であった。従って、上述した重回帰式（１）から求められるハンドル形状変数（目的変数Ｐ）の値は、２９３であった。
【００３８】
［実施例３］
上述した図１〜図５に示す歯ブラシと同様の構成を備える歯ブラシを、実施例３の歯ブラシとした。実施例３の歯ブラシの備える玉の球径は１６ｍｍであった。実施例３の歯ブラシに関しては、その全重量は２８．１ｇであり、その全長（Ｌ１）は１８７ｍｍであった。また、全長（Ｌ１）に対する柄本体部の後端部から歯ブラシの重心Ｇまでの直線距離（Ｌ２）の割合（（Ｌ２×１００）／Ｌ１）は１８％であり、柄本体部の後端部から前方側に９０ｍｍ離れた位置Ｐ１での外周長さ（Ｓ１）は２１ｍｍであり、柄本体部の後端部から前方側に２０ｍｍ離れた位置Ｐ２での外周長さ（Ｓ２）に対する前記９０ｍｍ離れた位置Ｐ１での外周長さ（Ｓ１）の比（Ｓ１／Ｓ２）は０．３７であった。従って、上述した重回帰式（１）から求められるハンドル形状変数（目的変数Ｐ）の値は、１７９であった。
【００３９】
［比較例１］
市販品Ａ（花王株式会社製の商品名「クリアクリーンEX  ハブラシ」）を比較例１の歯ブラシとした。比較例１の歯ブラシに関しては、その全重量は１０．３ｇであり、その全長（Ｌ１）は１８２ｍｍであった。また、全長（Ｌ１）に対する柄本体部の後端部から歯ブラシの重心Ｇまでの直線距離（Ｌ２）の割合（（Ｌ２×１００）／Ｌ１）は４２％であり、柄本体部の後端部から前方側に９０ｍｍ離れた位置Ｐ１での外周長さ（Ｓ１）は３１ｍｍであり、柄本体部の後端部から前方側に２０ｍｍ離れた位置Ｐ２での外周長さ（Ｓ２）に対する前記９０ｍｍ離れた位置Ｐ１での外周長さ（Ｓ１）の比（Ｓ１／Ｓ２）は０．８４であった。従って、上述した重回帰式（１）から求められるハンドル形状変数（目的変数Ｐ）の値は、３９８であった。
【００４０】
［比較例２］
市販品Ｂ（花王株式会社製の商品名「クリアクリーン  フロスプラス  ハブラシ」）を比較例２の歯ブラシとした。比較例２の歯ブラシに関しては、その全重量は１２．２ｇであり、その全長（Ｌ１）は１８２ｍｍであった。また、全長（Ｌ１）に対する柄本体部の後端部から歯ブラシの重心Ｇまでの直線距離（Ｌ２）の割合（（Ｌ２×１００）／Ｌ１）は４３％であり、柄本体部の後端部から前方側に９０ｍｍ離れた位置Ｐ１での外周長さ（Ｓ１）は３８ｍｍであり、柄本体部の後端部から前方側に２０ｍｍ離れた位置Ｐ２での外周長さ（Ｓ２）に対する前記９０ｍｍ離れた位置Ｐ１での外周長さ（Ｓ１）の比（Ｓ１／Ｓ２）は１．０９であった。従って、上述した重回帰式（１）から求められるハンドル形状変数（目的変数Ｐ）の値は、４４５であった。
【００４１】
［比較例３］
市販品Ｃ（花王株式会社製の商品名「チェック  先細スリム」）を比較例３の歯ブラシとした。比較例３の歯ブラシに関しては、その全重量は１０．２ｇであり、その全長（Ｌ１）は１８２ｍｍであった。また、全長（Ｌ１）に対する柄本体部の後端部から歯ブラシの重心Ｇまでの直線距離（Ｌ２）の割合（（Ｌ２×１００）／Ｌ１）は４４％であり、柄本体部の後端部から前方側に９０ｍｍ離れた位置Ｐ１での外周長さ（Ｓ１）は３５ｍｍであり、柄本体部の後端部から前方側に２０ｍｍ離れた位置Ｐ２での外周長さ（Ｓ２）に対する前記９０ｍｍ離れた位置Ｐ１での外周長さ（Ｓ１）の比（Ｓ１／Ｓ２）は１．２５であった。従って、上述した重回帰式（１）から求められるハンドル形状変数（目的変数Ｐ）の値は、４７５であった。
【００４２】
［比較例４］
市販品Ｄ（花王株式会社製の商品名「クリアクリーン  ホワイトニング  ハブラシ」）を比較例４の歯ブラシとした。比較例４の歯ブラシに関しては、その全重量は１４．６ｇであり、その全長（Ｌ１）は１８０ｍｍであった。また、全長（Ｌ１）に対する柄本体部の後端部から歯ブラシの重心Ｇまでの直線距離（Ｌ２）の割合（（Ｌ２×１００）／Ｌ１）は４３％であり、柄本体部の後端部から前方側に９０ｍｍ離れた位置Ｐ１での外周長さ（Ｓ１）は３５ｍｍであり、柄本体部の後端部から前方側に２０ｍｍ離れた位置Ｐ２での外周長さ（Ｓ２）に対する前記９０ｍｍ離れた位置Ｐ１での外周長さ（Ｓ１）の比（Ｓ１／Ｓ２）は１．０３であった。従って、上述した重回帰式（１）から求められるハンドル形状変数（目的変数Ｐ）の値は、４３５であった。
【００４３】
［比較例５］
市販品Ｅ（図７に示す構成を備える歯ブラシ）を比較例５の歯ブラシとした。比較例５の歯ブラシに関しては、歯ブラシの軸心に金属が設けられており、歯ブラシの全重量は３２．２ｇであり、その全長（Ｌ１）は１９１ｍｍであった。また、全長（Ｌ１）に対する柄本体部の後端部から歯ブラシの重心Ｇまでの直線距離（Ｌ２）の割合（（Ｌ２×１００）／Ｌ１）は３８％であり、柄本体部の後端部から前方側に９０ｍｍ離れた位置Ｐ１での外周長さ（Ｓ１）は４３ｍｍであり、柄本体部の後端部から前方側に２０ｍｍ離れた位置Ｐ２での外周長さ（Ｓ２）に対する前記９０ｍｍ離れた位置Ｐ１での外周長さ（Ｓ１）の比（Ｓ１／Ｓ２）は１．００であった。従って、上述した重回帰式（１）から求められるハンドル形状変数（目的変数Ｐ）の値は、４０５であった。
【００４４】
［比較例６］
市販品Ｆ（図８に示す構成を備える歯ブラシ）を比較例６の歯ブラシとした。比較例６の歯ブラシに関しては、その全重量は１３．９ｇであり、歯ブラシの全長（Ｌ１）は１６１ｍｍであった。また、全長（Ｌ１）に対する柄本体部の後端部から歯ブラシの重心Ｇまでの直線距離（Ｌ２）の割合（（Ｌ２×１００）／Ｌ１）は４３％であり、柄本体部の後端部から前方側に９０ｍｍ離れた位置Ｐ１での外周長さ（Ｓ１）は２８ｍｍであり、柄本体部の後端部から前方側に２０ｍｍ離れた位置Ｐ２での外周長さ（Ｓ２）に対する前記９０ｍｍ離れた位置Ｐ１での外周長さ（Ｓ１）の比（Ｓ１／Ｓ２）は０．７０であった。従って、上述した重回帰式（１）から求められるハンドル形状変数（目的変数Ｐ）の値は、３８１であった。
【００４５】
［比較例７］
特開２００２−８５１５７号公報の図１に示す構成を備える歯ブラシを比較例７の歯ブラシとした。比較例７の歯ブラシに関しては、ブラシ部後方端から把持部上部までの長さを４０ｍｍと仮定すると、その全長（Ｌ１）は１７３ｍｍとなり、柄の材質をポリプロピレンと仮定すると、その全重量は１７ｇとなる。また、全長（Ｌ１）に対する柄本体部の後端部から歯ブラシの重心Ｇまでの直線距離（Ｌ２）の割合（（Ｌ２×１００）／Ｌ１）は４０％であり、柄本体部の後端部から前方側に９０ｍｍ離れた位置Ｐ１での外周長さ（Ｓ１）は３８ｍｍであり、柄本体部の後端部から前方側に２０ｍｍ離れた位置Ｐ２での外周長さ（Ｓ２）に対する前記９０ｍｍ離れた位置Ｐ１での外周長さ（Ｓ１）の比（Ｓ１／Ｓ２）は０．９０となる。従って、上述した重回帰式（１）から求められるハンドル形状変数（目的変数Ｐ）の値は、４００となる。
【００４６】
＜評価＞
実施例１〜３、比較例１〜７の歯ブラシに関し、全重量を縦軸に、ハンドル形状変数（目的変数Ｐ）を横軸にプロットしたグラフを図９に示す。また、実施例１〜３、比較例１〜４の歯ブラシを、選出された前記被験者に使用してもらい、上述したブラッシング圧の測定により、実際の平均ブラッシング圧を求めた。得られた結果を表１に示す。
【００４７】
【表１】
2015231500.tif 000003
【００４８】
表１に示す結果から明らかなように、上述した重回帰式（１）から求められるハンドル形状変数（目的変数Ｐ）の値は、実際の平均ブラッシング圧の値と略一致していることが分かる。また、表１に示す結果から明らかなように、図６に示す構成を備える歯ブラシを用いた際のブラッシング圧が４００ｇｆを越える被験者が、実施例１〜３の歯ブラシを用いると、実際の平均ブラッシング圧の値が２０％以上低減することがわかった。それに対して、前記被験者が、比較例１〜４の歯ブラシを用いたとしても、実際の平均ブラッシング圧の低下が殆ど見られず、逆に平均ブラッシング圧の向上が見られる歯ブラシもあることが分かった。このことから、図９に示すように、上述した重回帰式（１）が１５０以上３５０以下の範囲内にあると共に、その全重量が５ｇ以上３０ｇ以下の範囲にある実施例１〜３の歯ブラシは、比較例１〜７の歯ブラシに比べて、歯ブラシを支える位置が柄本体部の内の後方側に位置し易く、しかも使用中に疲れ難く、過剰なブラッシング圧を無意識のうちに低減できることがわかった。
【符号の説明】
【００４９】
１  歯ブラシ
２  ブラシ部
２１  毛束
２２  植毛台
３  柄本体部
３ｅ  後端部
３１  玉
３２  凹陥部
【図１】
2015231500.tif 000004
【図２】
2015231500.tif 000005
【図３】
2015231500.tif 000006
【図４】
2015231500.tif 000007
【図５】
2015231500.tif 000008
【図６】
2015231500.tif 000009
【図７】
2015231500.tif 000010
【図８】
2015231500.tif 000011
【図９】
2015231500.tif 000012